(57)【要約】【課題】非接触ＩＣカード式乗車券と、磁気カード式乗車券やカード大の切符とを合わせて収納することが可能な非接触ＩＣカード式乗車券用パスケースを提供する。【解決手段】パスケース１００は、底面１０と、枠２０ａ〜２０ｄとから構成される。対向する第一対の枠２０ａおよび２０ｂは、それぞれカード保持部３０ａおよび３０ｂを備え、対向する第二対の枠２０ｃおよび２０ｄは、凹部３０ｃと、スロープ３０ｄとを備える。底面１０は一角に凸部４０を備える。非接触ＩＣカード式乗車券２００を底面１０とカード保持部３０ａおよび３０ｂとの間にスライドさせて挿入すると、凸部４０によりカード２００の一部が浮き上がり、バネ板の役割を果たすので、カード２００とカード保持部３０ａおよび３０ｂとの間に挟み込まれた切符等は容易に抜け落ちることがない。【選択図】  図１
2007325865.tif 000002
【特許請求の範囲】
【請求項１】
矩形の底面と、前記底面の四辺に設けられた枠部とから構成される非接触ＩＣカード式乗車券用パスケースであって、
対向する第一対の各辺に設けられた前記枠部は各々カード保持部を備え、
対向する第二対の各辺に設けられた前記枠部のうち、一方は凹部を備え、他方は前記底面にかけて非接触ＩＣカード式乗車券の挿出をガイドするスロープを備え、
前記底面の一角には、前記四辺の枠部のうちいずれか一辺の枠部の近傍に凸部が設けられ、
前記底面と前記カード保持部との間に前記凹部を有する枠部側から前記非接触ＩＣカード式乗車券を挿入し、前記カード保持部と前記非接触ＩＣカード式乗車券との間に磁気カード式乗車券および／または切符を挿入すると、前記凸部により一部を支持された前記非接触ＩＣカード式乗車券がバネ板として作用し、前記磁気カード式乗車券および／または前記切符が前記非接触ＩＣカード式乗車券と前記カード保持部との間に保持されることを特徴とする非接触ＩＣカード式乗車券用パスケース。
【請求項２】
請求項１に記載の非接触ＩＣカード式乗車券用パスケースにおいて、
前記底面は全部または一部にフェライト板を備えることを特徴とする非接触ＩＣカード式乗車券用パスケース。
【発明の詳細な説明】
【技術分野】
【０００１】
本発明は非接触ＩＣカード式乗車券用ケースに係り、より詳細には、非接触ＩＣカード式乗車券と、磁気カード式乗車券やその他の乗車券等とをあわせて便利に収納することが可能な非接触ＩＣカード式乗車券用パスケースに関する。
【背景技術】
【０００２】
近年、鉄道等の公共交通機関の乗車券として、切符のほかにも様々な形態のものが利用されるようになっている。例えば、予めカードに料金をチャージしておくいわゆるストアードフェア（ＳＦ）システムを利用した非接触ＩＣカード式乗車券や、磁気カード式乗車券等がその例である。乗車の度に切符を購入する手間が省け、改札にもごく短時間しか要さないなど、こうしたカード式乗車券は利用者にとって利便性が高く、広く普及している。
【０００３】
これらのカード式乗車券は、利用する交通機関によって非接触ＩＣカード式であったり磁気カード式であったりと形式が異なっている。そのため、利用者は各交通機関の提供するサービスに応じてこれらのカード式乗車券を購入し、どの交通機関を利用するかによって使い分けることになる。すなわち、利用者は交通機関を利用するとき、複数のカード式乗車券を携帯している。また、別途切符を購入し携帯する場合もある。
【０００４】
複数の乗車券を所持するとき、利用者は、これらを例えば財布に収納したり、鞄や上着のポケット等に収納したりすることが考えられるが、紛失を防ぐためには、各乗車券を別々に収納するよりもパスケース等にまとめておけるのが望ましい。特許文献１には、収納した定期券等が抜け落ちないようにしたカードホルダーに関する発明が記載されており、例えばこのようなカードホルダーに定期券とカードとをあわせて収納し、紛失を防止することが考えられる。
【特許文献１】特開平８−１７３２２９号公報
【発明の開示】
【発明が解決しようとする課題】
【０００５】
ところで、特許文献１に記載のカードホルダーは、主に磁気式の定期券を収納するものである。しかしながら、近時では非接触ＩＣカード式の定期券の普及が進んでいることから、こうした定期券に対応し、しかも他の磁気カード式乗車券等を収納することができると便利である。
【０００６】
また、特許文献１に記載のカードホルダーは湾曲することによって切符等が外れるのを防止しているが、非接触ＩＣカードの場合、湾曲状態での保持は不適切である。非接触ＩＣカードにはアンテナが内蔵されているため、その破損を防ぐべく、収納するパスケースは非接触ＩＣカードをできる限り平面状態に保つことのできる高い耐久性を備えるのが好ましい。
【０００７】
さらに、非接触ＩＣカード式乗車券は、使用の仕方により改札の際に読取りエラーが発生することがある。したがって、利用者に非接触ＩＣカード式乗車券の正しい使用を促し、読取りエラーの発生を防止することができるのがよい。
【課題を解決するための手段】
【０００８】
以上に鑑み本発明が提供するのは、矩形の底面と、底面の四辺に設けられた枠部とから構成される非接触ＩＣカード式乗車券用パスケースである。このパスケースにおいて、対向する第一対の各辺に設けられた枠部は各々カード保持部を備え、対向する第二対の各辺に設けられた枠部のうち、一方は凹部を備え、他方は底面にかけて非接触ＩＣカード式乗車券の挿出をガイドするスロープを備え、底面の一角には四辺の枠部のうちいずれか一辺の枠部の近傍に凸部が設けられ、底面とカード保持部との間に凹部を有する枠部側から非接触ＩＣカード式乗車券を挿入し、カード保持部と非接触ＩＣカード式乗車券との間に磁気カード式乗車券および／または切符を挿入すると、凸部により一部を支持された非接触ＩＣカード式乗車券がバネ板として作用し、これらの磁気カード式乗車券および／または切符が非接触ＩＣカード式乗車券とカード保持部との間に保持される。
【０００９】
この非接触ＩＣカード式乗車券用パスケースにおいて、底面は全部または一部にフェライト板を備えてもよい。
【発明の効果】
【００１０】
本発明のパスケースによれば、十分な強度を備えるので、非接触ＩＣカード式乗車券の破損を防止することができる。また、小型かつ軽量で、非接触ＩＣカード式乗車券とあわせて磁気カード式乗車券や同じ大きさの切符を抜け落ちないよう収納することが可能であるため、これらの乗車券の紛失を防ぎ、便利に携帯することができる。
【発明を実施するための最良の形態】
【００１１】
以下、図面を参照して本発明の好適な実施形態を説明する。
【００１２】
図１（ａ）・（ｂ）および図２に示すのは、本発明の一実施形態によるパスケース１００である。このパスケース１００は、例えば利用者がズボンの後ポケットに入れて持ち歩き、そのまま椅子に座ったとき等に体重がかかっても、ケースが破損し難いように、高い強度を備えたポリカーボネート等の樹脂より作製される。したがって、収納した非接触ＩＣカード式乗車券が折れたり曲がったりして使用不能になることを防止できる。
【００１３】
パスケース１００は、収納する非接触ＩＣカード式乗車券２００（図示せず）と底面１０とが略同一の形状および大きさを有するよう作製される。また、底面１０の四辺には、底面１０から一定の高さを有する枠２０ａ〜２０ｄが設けられる。四辺の枠のうち短い方の対向する二辺の枠２０ａおよび２０ｂは、カード保持部３０ａおよび３０ｂを有する。このカード保持部３０ａおよび３０ｂは、パスケース１００に収納されたカード等の端部を抑えて、これらのカード等が容易に外れることがないようにする。この点については後述する。
【００１４】
パスケース１００にカード２００を収納する際には、カード保持部３０ａおよび３０ｂと底面１０との間にカード２００をスライドさせて挿入する。パスケース１００は、長い方の対向する二辺の枠２０ｃおよび２０ｄのうち、一方の枠２０ｃには凹部３０ｃが設けられ、他方の枠２０ｄには底面１０にかけてスロープ３０ｄが形成されている。これらの凹部３０ｃおよびスロープ３０ｄは、特にカード２００をパスケース１００から取出すときにその効果を発揮するものであり、凹部３０ｃは指を添えるために設けられ、スロープ３０ｄは非接触ＩＣカード式乗車券の挿出をガイドするものである。
【００１５】
すなわち、パスケース１００に非接触ＩＣカード式乗車券２００を収納する際には、パスケース１００の各辺の長短と収納するカード２００の各辺の長短とが合致する向きに配置し、カード２００を枠２０ｃの側からスライドさせて挿入する。また、取出す際には、凹部３０ｃに指を当て、カード２００を枠２０ｄの方向に押出す。カード２００は一般に多少の可撓性を有するので、反りながらスロープ３０ｄに沿ってスライドし、パスケース１００の外に挿出される。
【００１６】
なお、本実施例においては、パスケース１００の短い方の対向する２辺２０ａおよび２０ｂにカード保持部３０ａおよび３０ｂを設けているため、図１（ａ）に矢印で示す方向（横方向）に向かってカード２００を移動させるものとするが、本発明の別の実施例においては、パスケース１００の長い方の対向する２辺２０ｃおよび２０ｄに各々カード保持部を設け、短い方の対向する２辺２０ａおよび２０ｂにそれぞれ凹部とスロープとを設けて、本実施例とは異なる方向（縦方向）にカード２００を移動させることも可能である。
【００１７】
パスケース１００の底面の一角には、ある一点を支持した状態で非接触ＩＣカード式乗車券２００を収納するために、凸部４０が設けられる。本実施例においては、枠２０ｂおよび２０ｃの近傍に枠２０ｂに平行するように細長形状の凸部４０が設けられているが、凸部４０を設ける位置は他の枠の近傍であってもよく、また形状も様々であってよい。
【００１８】
図３の断面図は、図１（ｂ）に示したパスケース１００に非接触ＩＣカード式乗車券２００を収納した状態を示している。同図からわかるように、カード２００は一部が凸部４０により持ち上げられ、パスケース１００の内部で斜めに保持される。
【００１９】
このとき、カード２００の上面とカード保持部３０ａ・３０ｂとの間に生じた隙間に図示しない磁気カード式の乗車券やカード大の切符等を挿入すると、可撓性を有するカード２００が板バネの役割を果たして、これらの切符等をカード保持部３０ａおよび３０ｂとの間に挟み込み、簡単に抜け落ちないようにする。
【００２０】
本実施形態によるパスケース１００において、枠２０ａ〜２０ｄや凸部４０の底面からの高さは限定されないが、凸部４０の高さが枠２０ａ〜２０ｄの高さを超えることはないものとする。また、パスケース１００の厚さは５ｍｍ程度であるのが好ましい。
【００２１】
さらに、底面１０とカード保持部３０ａおよび３０ｂとの間には、非接触ＩＣカードを１枚と、前述した切符等とを挿入することはできるが、非接触ＩＣカードを２枚以上挿入することはできない程度の空間を設けるものとする。これは、非接触ＩＣカードの読取りエラーの発生を未然に防止するためである。
【００２２】
すなわち、読取りエラーは、利用者が非接触ＩＣカードを財布や定期券入れ等に収納し、そのままの状態でリーダにかざした場合に発生することが多い。これは、非接触ＩＣカードを収納した財布等に他にも非接触ＩＣカードが収納されていると、リーダはどの非接触ＩＣカードを読取ればよいのかを判断することができないためである。あるいは、複数の非接触ＩＣカードがエネルギー源であるリーダからの磁界を分け合ってしまい、利用したいカードに十分なエネルギーが与えられない。このような場合、正しい読取りが行われない。
【００２３】
したがって、パスケース１００は、収納できる非接触ＩＣカードの数を１枚に限ることにより、読取りエラーが発生しないようにする。なお、磁気カード式乗車券や切符を非接触ＩＣカード式乗車券と重ねてリーダにかざしても、こうしたエラーは発生しない。
【００２４】
本実施形態によるパスケース１００はリード取付け部５０を備えることも可能である。このリード取付け部５０と、利用者の鞄や上着のポケット等とをリードで繋ぎとめることにより、パスケース１００の紛失を防止することができる。ここでリードとは、単なる紐状のものであってもよいし、例えば図５の断面図に示されるような巻き取り構造を内部に備えたクリップ３００を利用してもよい。クリップ３００を鞄等に留め、リードの先端をパスケース１００のリード取付け部に取付けることにより、使用時にはリードを伸ばし、非使用時にはリードが巻き取られた状態で携帯することができるので、便利である。
【００２５】
本発明の別の実施形態によるパスケース１００の場合には、図４に示すように、図１等と同様のパスケースにおいて、底面１０の符号６０で示す部分にフェライト板を貼付する。ここで表１を参照すると、非接触ＩＣカードのアンテナとリーダのアンテナとの間（以下、内側という）にフェライトの試験片を配置した場合と、非接触ＩＣカードのアンテナの背面（以下、外側という）にフェライトの試験片を配置した場合とにおける磁界の減衰率が示されている。
【００２６】
【表１】
2007325865.tif 000003
【００２７】
表１に示した数値は、厚さ０．５ｍｍのフェライト試験片を用い、基板（非接触ＩＣカードおよびリーダのアンテナ）の厚さ（ｄ）が１．６ｍｍ、基板間すなわち各アンテナの設置間隔（Ｌ）が２５ｍｍの条件下で実験を行って得られたものである。試験片を配置していないときの測定値（ｄＢｍ）は−１９．３９６１、周波数は１３．５６ＭＨｚであった。なお、この周波数の値は、ＩＳＯ１４４４３の規格に沿った非接触ＩＣカードの動作周波数と同一である。
【００２８】
表１からわかるように、フェライトには、非接触ＩＣカードに近接して内側に配置した場合にはリーダからの磁界を遮蔽し、非接触ＩＣカードの両面のうちリーダとは反対の外側に配置した場合には磁界を増幅する効果がある。したがって、底面１０にフェライト板を貼付した上でカード２００を収納した状態でパスケース１００を使用すると、ポリカーボネートのみからなるパスケース１００に比べ、リーダによるカード２００の読取りがより確実になるという効果を期待することができる。
【００２９】
フェライト板は、収納するカード２００のアンテナ位置に対応する部分（例えば符号６０で示す部分）のみに貼付してもよいし、パスケース２００の底面１０全体に貼付することも可能である。
【００３０】
以上、本発明の好適な実施形態を説明したが、本発明はこれらの実施形態に限られることはなく、様々な他の実施形態が可能である。また、いずれの実施例においても、例えばパスケース１００の底面の裏面にキャラクタや宣伝の印刷等を施すことにより、利用者の好みに応じたデザイン性を持たせたり、広告媒体として利用したりすることも可能である。
【図面の簡単な説明】
【００３１】
【図１】（ａ）は本発明の一実施形態による非接触ＩＣカード式乗車券用パスケースの平面図、（ｂ）は断面図。
【図２】本発明の一実施例による非接触ＩＣカード式乗車券用パスケースの斜視図。
【図３】本発明の一実施例による非接触ＩＣカード式乗車券用パスケースに非接触ＩＣカード式乗車券を収納した状態の断面図。
【図４】本発明の別の実施形態による非接触ＩＣカード式乗車券用パスケースの正面図。
【図５】本発明の一実施形態による非接触ＩＣカード式乗車券用パスケースに取付けられるクリップの内部構造を説明する図。
【符号の説明】
【００３２】
１００  パスケース
１０  底面
２０ａ，２０ｂ，２０ｃ，２０ｄ  枠
３０ａ，３０ｂ  カード保持部
３０ｃ  凹部
３０ｄ  スロープ
４０  凸部
５０  リード取付け部
２００  非接触ＩＣカード式乗車券
【図１】
2007325865.tif 000004
【図２】
2007325865.tif 000005
【図３】
2007325865.tif 000006
【図４】
2007325865.tif 000007
【図５】
2007325865.tif 000008